(57)【要約】【課題】赤外線検出器における検出スペクトルなどを含む検出器の検出波長のバラつきを校正または補正可能な検出器、ならびに、赤外線検出器における検出スペクトルなどを含む検出器の検出波長のバラつきを校正または補正する方法を提供する。【解決手段】量子井戸または量子ドットを含む活性層を備え、前記活性層に電圧を印加することで検出波長をシフト可能な検出器であって、前記検出波長がシフトする範囲内に、前記検出波長を校正または補正する基準として参照するための参照波長を有する検出器、ならびに、当該検出器を用いて、参照波長を基準として検出波長を校正または補正する方法。【選択図】図１
2018100959.tif 000002
【特許請求の範囲】
【請求項１】
量子井戸または量子ドットを含む活性層を備え、前記活性層に電圧を印加することで検出波長をシフト可能な検出器であって、
前記検出波長のシフト可能な波長領域内に、前記検出波長を校正または補正する基準として参照するための参照波長を有する、検出器。
【請求項２】
前記参照波長を基準として検出波長を校正または補正するように構成されている、請求項１に記載の検出器。
【請求項３】
前記参照波長は、検出器の検出値が極大値、極小値、立上りエッジまたは立下りエッジとなるときの波長である、請求項１または２に記載の検出器。
【請求項４】
前記検出値が極大値、極小値、立上りエッジまたは立下りエッジとなるときに活性層に印加されている電圧値を用いて検出波長を校正または補正するように構成されている、請求項３に記載の検出器。
【請求項５】
活性層に印加する電圧値が、印加する電圧範囲の略中央である中央値で検出される波長を参照波長とし、検出器の検出値が極大値、極小値、立上りエッジまたは立下りエッジとなるときに活性層に印加されている電圧値と中央値との差をオフセット電圧とするように構成されている、請求項１〜４のいずれか１項に記載の検出器。
【請求項６】
複数の参照波長を用いて検出波長を校正または補正するように構成されている、請求項１〜５のいずれか１項に記載の検出器。
【請求項７】
活性層に印加する電圧値が０Ｖ以外である場合に検出される波長を参照波長の１つとするように構成されている、請求項１〜６のいずれか１項に記載の検出器。
【請求項８】
赤外線を検出可能な検出器であり、前記参照波長が気体に特有な吸収スペクトルである、請求項１〜７のいずれか１項に記載の検出器。
【請求項９】
前記気体が空気中に含まれる気体である、請求項８に記載の検出器。
【請求項１０】
前記気体が二酸化炭素または水蒸気である、請求項９に記載の検出器。
【請求項１１】
前記参照波長が発光ピークである、請求項１〜７のいずれか１項に記載の検出器。
【請求項１２】
請求項１〜１１のいずれか１項に記載の検出器を用いて、参照波長を基準として検出波長を校正する、検出器の校正方法。
【請求項１３】
請求項１〜１１のいずれか１項に記載の検出器を用いて、参照波長を基準として検出波長を補正する、検出器の補正方法。
【請求項１４】
請求項１〜１１のいずれか１項に記載の検出器を複数含み、それぞれの検出器の参照波長が同一であることを特徴とする、検出装置。
【発明の詳細な説明】
【技術分野】
【０００１】
本発明は、赤外線などを検出可能な検出器、ならびに、検出器の校正方法または補正方法、検出装置に関する。
【背景技術】
【０００２】
赤外線を検出する赤外線検出器として、従来より、中間層と、中間層よりバンドギャップが狭い複数の量子ドットを有する量子ドット層とが交互に積層されてなる積層体を有し、積層体に赤外線を照射した際に量子ドット内の電子の励起によって生じる光電流を検出することにより赤外線を検出する、量子ドット型の赤外線検出器が知られている。
【０００３】
たとえば特開２００９−６５１４１号公報（特許文献１）には、中間層と、前記中間層よりバンドギャップが狭い複数の量子ドットを有する量子ドット層とが交互に積層されてなる積層体を有し、前記積層体に赤外線を照射した際に生じる光電流を検出することにより赤外線を検出する赤外線検出器において、前記量子ドット層の一方の側に設けられ、前記中間層よりもバンドギャップが広い第１の障壁層と、前記量子ドット層の他方の側に設けられ、前記中間層よりもバンドギャップが広い第２の障壁層とを更に有する赤外線検出器が開示されている。このような特許文献１に開示された赤外線検出器によれば、所望の長波長特性を実現しつつ、暗電流が少なく、かつ、十分な感度を有する赤外線検出器を実現することができるという利点がある。
【先行技術文献】
【特許文献】
【０００４】
【特許文献１】特開２００９−６５１４１号公報
【発明の概要】
【発明が解決しようとする課題】
【０００５】
しかしながら、量子ドット赤外線検出器（ＱＤＩＰ：Ｑｕａｎｔｕｍ  Ｄｏｔ  Ｉｎｆｒａｒｅｄ  Ｐｈｏｔｏｄｅｔｅｃｔｏｒ）、量子井戸赤外線検出器（ＱＷＩＰ：Ｑｕａｎｔｕｍ  Ｗｅｌｌ  Ｉｎｆｒａｒｅｄ  Ｐｈｏｔｏｄｅｔｅｃｔｏｒ）などのサブバンド間遷移を利用した赤外線検出器において、吸収エネルギーは、量子構造に閉じ込められる電子の基底準位と、遷移先である励起準位との差により決まる。この基底準位及び励起準位の位置は量子構造そのもの（形状、組成）に対して、非常に敏感であり、たとえば、量子ドットの高さが１分子層変化するだけで波長が０．０５μｍ変化する場合もある。一般的に量子ドットを用いた光検出器に用いられている量子ドットの密度は１０１０〜１０１２ｃｍ−２である。現在の量子ドット作製技術において、均一な量子ドットを形成することは非常に困難であるため、量子ドット赤外線検出器の吸収スペクトル（検出スペクトル）はある種の幅（量子ドット構造のバラつきに起因）を持つことが知られている。たとえば、赤外線検出器の面積あたりの量子ドット構造（組成や形状）の平均および分散が１枚のウエハ全面にわたり同一であれば、前述のウエハにより作製される複数の赤外線検出器の検出スペクトル中心及び幅はすべて均一になる。しかしながら、現実的には量子ドット形成装置の温度バラつきや原料供給バラつきなどにより上述の量子ドット構造の平均や分散がウエハの場所により異なることが一般的に知られている。また、量子ドット形成装置内の汚れなどにより、同じ装置であってもロットにより上述の量子ドット構造が異なるため、検出スペクトルが赤外線検出器ごとに異なり、バラつきが大きいという課題があった。これは、たとえば量子ドットのサイズ、密度、量子井戸などの量子構造の製造誤差に起因するものと考えられる。熱源の検知のみを目的とする応用であれば、上記バラつきの影響は小さいが、たとえば非接触温度計やサーモグラフィなど、検出ピークの波長がその精度に大きな影響を有するデバイスへの応用を考えると、製造誤差による検出ピークのバラつきは大きな問題となる。
【０００６】
本発明は、上記課題を解決するためになされたものであって、その目的とするところは、赤外線検出器における検出スペクトルなどを含む検出器の検出波長のバラつきを校正または補正可能な検出器、ならびに、赤外線検出器における検出スペクトルなどを含む検出器の検出波長のバラつきを校正または補正する方法を提供することである。
【課題を解決するための手段】
【０００７】
本発明は、量子井戸または量子ドットを含む活性層を備え、前記活性層に電圧を印加することで検出波長をシフト可能な検出器であって、前記検出波長のシフト可能な波長領域内に、前記検出波長を校正または補正する基準として参照するための参照波長を有することを特徴とする。本構成によれば、参照波長を用いて、検出波長を校正または補正することができ、高精度な検出器となる。
【０００８】
本発明の検出器は、前記参照波長を基準として検出波長を校正または補正するように構成されているものであることが好ましい。本構成によれば、検出波長が正確であるため、測定精度が高くなる。一方で、生産時のバラつきを吸収できるため、生産工程でかかるコストを低減できる。
【０００９】
本発明の検出器において、前記参照波長は検出器の検出値が極大値、極小値、立上りエッジまたは立下りエッジとなるときの波長であることが好ましい。本構成によれば、参照波長が容易に測定できる。たとえば、発光ピーク、吸収ピークを参照波長とできる。この場合、前記検出値が極大値、極小値、立上りエッジまたは立下りエッジとなるときに活性層に印加されている電圧値を用いて検出波長を校正または補正するように構成されていることが好ましい。本構成によれば、印加する電圧と波長との関係が明確になる。
【００１０】
本発明の検出器は、活性層に印加する電圧値が、印加する電圧範囲の略中央である中央値で検出される波長を参照波長とし、検出器の検出値が極大値、極小値、立上りエッジまたは立下りエッジとなるときに活性層に印加されている電圧値と中央値との差をオフセット電圧とするように構成されていてもよい。本構成によれば、素子ごとのバラつきが発生したことにより、参照するピークが印加電圧の範囲外になってしまう可能性が低くなる。
【００１１】
本発明の検出器は、複数の参照波長を用いて検出波長を校正または補正するように構成されていてもよい。本構成によれば、より正確に波長を校正または補正することができる。この場合、活性層に印加する電圧値が０Ｖ以外である場合に検出される波長を参照波長の１つとするように構成されていてもよい。
【００１２】
本発明の検出器は、赤外線を検出可能な検出器であり、前記参照波長が気体に特有な吸収スペクトルであることが好ましい。この場合、前記気体が空気中に含まれる気体であることがより好ましく、前記気体が二酸化炭素または水蒸気であることが特に好ましい。本構成によれば、空気中の気体の吸収ピーク波長を用いれば、簡便に校正または補正を行うことができる。
【００１３】
また本発明の検出器において、前記参照波長は発光ピークであってもよい。本構成によれば、参照波長が容易に決定できる。
【００１４】
本発明は、上述した本発明の検出器を用いて、参照波長を基準として検出波長を校正する、検出器の校正方法についても提供する。
【００１５】
本発明はまた、上述した本発明の検出器を用いて、参照波長を基準として検出波長を補正する、検出器の補正方法についても提供する。
【００１６】
本発明はまた、上述の検出器を複数含み、それぞれの検出器の参照波長が同一である検出装置であってもよい。本構成によれば、検出装置の製造バラつきの校正または補正を簡便かつ効率的に行うことができ、ユーザーへ提供する測定結果に誤差が出ることを防ぐことができる。
【発明の効果】
【００１７】
本発明によれば、製造誤差に起因して検出スペクトルにバラつきがある赤外線検出器などの検出器において、当該バラつきを校正または補正によって簡便に補償することができる検出器、ならびに、当該検出器の校正方法または補正方法を提供することができる。
【図面の簡単な説明】
【００１８】
【図１】本発明の赤外線検出器の校正方法を模式的に示す図である。
【図２】図２（ａ）は本発明の好ましい一例の赤外線検出器１１Ａ，１１Ｂを模式的に示す図であり、図２（ｂ）は図２（ａ）を一部拡大して示す図である。
【図３】図２（ａ）に示した赤外線検出器１１Ａの電極１６Ａ，１７Ａを電源１８Ａに電気的に接続した状態を模式的に示す図である。
【図４】図３に示した赤外線検出器１１Ａに様々な電圧を印加した際の検出ピークを模式的に示す検出スペクトルである。
【図５】図５（ａ）は二酸化炭素（ＣＯ２）の赤外透過スペクトルであり、図５（ｂ）は図４に示した検出スペクトルに二酸化炭素（ＣＯ２）の吸収線を重ねて示した図であり、図５（ｃ）は、赤外線検出器１１Ａに印加する電圧値Ｖを変化させながら外光（太陽光）の信号（検出信号）を検出した結果を示すグラフである。
【図６】図２（ａ）に示した赤外線検出器１１Ａの電極１６Ａ，１７Ａを電源１８Ａに電気的に接続し、かつ、赤外線検出器１１Ｂの電極１６Ｂ，１７Ｂを電源１８Ｂに電気的に接続した状態を模式的に示す図である。
【図７】図７（ａ）は、図６に示した赤外線検出器１１Ａ，１１Ｂにおいて電圧を印加しない状態（ＶＡ〜０Ｖ、ＶＢ〜０Ｖ）の各検出ピークを示す検出スペクトルに二酸化炭素（ＣＯ２）の吸収ピーク波長を重ねて示す図であり、図７（ｂ）は、赤外線検出器１１Ａ，１１Ｂに印加する電圧値ＶＡ，ＶＢを変化させながら外光（太陽光）の信号（検出信号）を検出した結果を示すグラフである。
【図８】図８（ａ），（ｂ）は、太陽光を検出した際の赤外線検出器１１Ａ，１１Ｂの検出スペクトルである。
【図９】本発明の好ましい他の例の赤外線検出器３１を模式的に示す図である。
【図１０】本発明の赤外線検出器におけるブロック図の一例である。
【図１１】本発明の赤外線検出器におけるブロック図の他の例である。
【図１２】実施形態１の赤外線検出器の制御の例を示すフローチャートである。
【図１３】実施形態４の赤外線検出器の制御の例を示すフローチャートである。
【図１４】実施形態５の赤外線検出器の制御の例を示すフローチャートである。
【発明を実施するための形態】
【００１９】
＜実施形態１＞
本発明は、量子井戸または量子ドットを含む活性層を備え、前記活性層に電圧を印加することで検出波長をシフト可能な検出器であって、前記検出波長のシフト可能な波長領域内に、前記検出波長を校正または補正する基準として参照するための参照波長を有することを特徴とする。また本発明の検出器は、前記参照波長を基準として検出波長を校正または補正するように構成されていることが好ましい。まず、本発明の検出器の一例として赤外線検出器を挙げ、当該赤外線検出器を校正する場合（赤外線検出器の校正方法）について説明する。本実施形態においては、印加電圧の範囲を例として−１Ｖから＋１Ｖとし、この略中央値である０Ｖが参照波長に対応しているが、参照波長が印加電圧の範囲の略中央値であれば、これに限らない。
【００２０】
ここで、図１（ａ）は、本発明の赤外線検出器の校正方法を適用する前の状態の赤外線検出器で検出された検出ピーク、図１（ｂ）は、本発明の赤外線検出器の校正方法を適用した状態の赤外線検出器で検出された検出ピークをそれぞれ模式的に示している。図１（ａ），（ｂ）において、縦軸は検出信号、横軸は波長（単位：μｍ）を示している。図１（ａ）に示す例において、たとえば、左側の検出ピーク１Ａは、赤外線検出器Ａ（量子ドットのサイズが小さい、または、量子井戸の幅が狭い）により検出された検出ピークであり、右側の検出ピーク１Ｂは、赤外線検出器Ｂ（量子ドットのサイズが大きい、または、量子井戸の幅が広い）により検出された検出ピークを示しているものとする。
【００２１】
本発明の赤外線検出器の校正方法は、活性層（光吸収層）に量子井戸または量子ドットを含む赤外線検出器に適用することを前提とする。活性層に量子井戸または量子ドットを含む赤外線検出器は、印加する電圧によって検出ピークの位置をシフトさせることができる。本発明においては、このような活性層に量子井戸または量子ドットを含む赤外線検出器を校正する方法であって、所定値（オフセット値）の電圧を赤外線検出器に印加するステップを含むことを特徴とする。
【００２２】
ここで、図１（ａ）において、実線２Ａは、赤外線検出器Ａにおいて電圧の印加によりシフト可能な波長領域を示しており、点線２Ｂは、赤外線検出器Ｂにおいて電圧の印加によりシフト可能な波長領域を示している。図１（ａ）では、赤外線検出器Ａ，Ｂともに、電圧を印加していない状態（すなわち、赤外線検出器Ａの印加電圧値（ＶＡ＝０Ｖ）、赤外線検出器Ｂの印加電圧値（ＶＢ＝０Ｖ））の検出スペクトル１Ａ，１Ｂをそれぞれ示している。
【００２３】
本発明の赤外線検出器の校正方法は、基準となる吸収線（参照波長）から、前記オフセット値を決定するステップを含むことが好ましい。図１（ｂ）に示す例では、参照波長３に検出ピークのピーク値が重なるように赤外線検出器に印加する電圧値（オフセット値：ＶＯＦＦ）を決定し、赤外線検出器Ａ，Ｂにそれぞれ決定された電圧値の電圧を印加し（ここで、赤外線検出器Ａの印加電圧値（ＶＡ＝ＶＡ０）、赤外線検出器Ｂの印加電圧値（ＶＢ＝ＶＢ０）であるものとする）、検出ピーク１Ａの位置を図１の紙面に関し右側に、検出ピーク１Ｂの位置を図１の紙面に関し左側にシフトさせる。
【００２４】
本発明の赤外線検出器の校正方法において、前記参照波長は、特に制限されないが、気体に特有な吸収スペクトルの吸収ピーク波長であることが好ましい。ここで、図１（ｂ）に示す参照波長３は、気体に特有な吸収スペクトルの吸収ピーク波長を示している。また、本発明の赤外線検出器の校正方法は、前記気体に特有な吸収スペクトルを含む特定の波長領域における検出ピークを検出するステップを含むことが好ましい。本発明において、「特定の波長領域」は、電圧の印加によって検出ピークの位置をシフト可能な波長範囲を指し、気体に特有な吸収スペクトルにおける吸収ピーク波長を中心とした、２μｍ〜７μｍの範囲の波長領域であることが好ましく、３μｍ〜５μｍの範囲の波長領域であることがより好ましい。
【００２５】
なお、本発明の赤外線検出器の校正方法は、活性層に量子井戸または量子ドットを含む赤外線検出器にオフセット値の電圧を印加して赤外線検出器の校正を行えばよく、参照波長から前記オフセット値の電圧を決定するステップを必ずしも含んでいなくともよい。すなわち、製造バラつきなどを有する赤外線検出器の個体ごとにずれ量を事前に計測（特定）しておき、オフセット値の電圧を赤外線検出器に印加して校正するようにしてもよい。
【００２６】
本発明の検出器としては、活性層に量子ドットを含む量子ドット赤外線検出器（ＱＤＩＰ）、活性層に量子井戸を含む量子井戸赤外線検出器（ＱＷＩＰ）などのサブバンド間遷移を利用した赤外線検出器が好適な例として挙げられる。これらの赤外線検出器は、比較的狭い検出スペクトル線幅を有し、また、電圧の印加により検出ピークの位置をシフト可能であるという特徴を有する。その一方で、これらの赤外線検出器は、上述のように量子ドットのサイズ、密度、量子井戸などの量子構造の製造誤差に起因して、図１（ａ）に示したように、検出スペクトルにバラつきが生じる。なお、上述した例では、気体に特有な吸収スペクトルのうちいずれかの吸収ピーク波長が、検出波長を校正または補正する基準として参照するための「参照波長」に該当することとなる。
【００２７】
ここで、図２は、本発明の好ましい一例の赤外線検出器１１Ａ，１１Ｂを模式的に示す図である。たとえば図２（ａ）には、半絶縁性ＧａＡｓからなる基板１２上に、ｎ−ＧａＡｓからなる下部コンタクト層１３Ａと、ｎ−ＧａＡｓからなる上部コンタクト層１５Ａと、ＡｕＧｅ／Ｎｉ／Ａｕからなる電極１６Ａ，１７Ａと、ＩｎＡｓ量子ドット／ＡｌＧａＡｓ（ＡｌｘＧａ１−ｘＡｓ（ここで、０＜ｘ＜１．０））／ＧａＡｓ（ｎ−ＧａＡｓ）マトリックス１４Ａから構成された量子ドット赤外線検出器１１Ａ、ならびに、ｎ−ＧａＡｓからなる下部コンタクト層１３Ｂと、ｎ−ＧａＡｓからなる上部コンタクト層１５Ｂと、ＡｕＧｅ／Ｎｉ／Ａｕからなる電極１６Ｂ，１７Ｂと、ＩｎＡｓ量子ドット／ＡｌＧａＡｓ（ＡｌｘＧａ１−ｘＡｓ（ここで、０＜ｘ＜１．０））／ＧａＡｓ（ｎ−ＧａＡｓ）マトリックス１４Ｂから構成された量子ドット赤外線検出器１１Ｂが形成された例を示している。
【００２８】
ここで、図２（ｂ）は図２（ａ）におけるＩｎＡｓ量子ドット／ＡｌＧａＡｓ／ＧａＡｓマトリックス１４Ａを一部拡大して示す図である。図２には、４μｍ近傍の検出ピークを有するような赤外線検出器を構成する場合を例示しており、たとえば、ＩｎＡｓ量子ドット２１の高さＤ１は５ｎｍ、ピラミッド形状の底辺長さＤ２は２５ｎｍである。図２（ｂ）に示す例では、このようなＩｎＡｓ量子ドット２１は、その周囲がＡｌＧａＡｓ層２２で覆われており、さらに、このＩｎＡｓ量子ドット／ＡｌＧａＡｓ層が、ＧａＡｓ層２３により隔てられ、たとえば３０層順次積層されて、ＩｎＡｓ量子ドット／ＡｌＧａＡｓ／ＧａＡｓマトリックス１４Ａが形成されている。ここで、ＡｌＧａＡｓ層２２の厚みＤ３は１０ｎｍであり、ＡｌＧａＡｓ層２２中において、量子ドット２１の上側頂上および下側底からそれぞれ厚み２．５ｎｍで量子ドット２１を覆っている（すなわち、２．５ｎｍ（量子ドット２１の上側頂上を覆う部分の厚み）＋５ｎｍ（量子ドット２１の高さＤ１）＋２．５ｎｍ（量子ドット２１の下側底を覆う部分の厚み）＝１０ｎｍ（ＡｌＧａＡｓ層２２の厚みＤ３））。また、図２（ｂ）に示す例において、ＧａＡｓ層２３の厚みＤ４は、３０ｎｍである。
【００２９】
図３は、図２（ａ）に示した赤外線検出器１１Ａの電極１６Ａ，１７Ａを電源１８Ａに電気的に接続した状態を模式的に示す図である。図３に示すように、電源１８Ａより、電極１６Ａ，１７Ａに電圧Ｖが印加されると、赤外線検出器１１Ａに電流Ｉが流れる。この際、赤外線検出器１１Ａの検出波長に対応する赤外光Ｌ１が外部から入射すると、当該赤外光Ｌ１が未照射の場合と比較して電流が増加し、検出信号となる。本明細書においては、この増加分を「光電流」と呼称する。
【００３０】
図４は、図３に示した赤外線検出器１１Ａに様々な電圧を印加した際の検出ピークを模式的に示す検出スペクトルである。図４において、縦軸は検出信号、横軸は波長（単位：μｍ）である。図４に示すように、特定の波長（印加する電圧範囲の略中央である中央値で検出される波長。例えば、Ｖ〜０Ｖ近傍（厳密には０Ｖではない）では４．２μｍ）に検出ピークを有する検出スペクトルが現れる。これは、赤外光が量子ドットのサブレベル間吸収を引き起こし、光電変換が生じるためである。ここで、赤外線検出器１１Ａに印加する電圧の電圧値Ｖを変化させると、電子のエネルギー準位が変化するため検出ピークの位置はシフトする。たとえば、図４に示すようにＶ〜０Ｖ近傍で検出ピークが４．２μｍとなる赤外線検出器の場合、Ｖ＝１Ｖの場合には検出ピークは４．５μｍ、Ｖ＝−１Ｖの場合には３．９μｍとなり、±０．３μｍシフトさせることができる。
【００３１】
ここで、図５（ａ）は二酸化炭素の赤外透過スペクトルであり、図５（ｂ）は図４に示した検出スペクトルに二酸化炭素（ＣＯ２）の吸収ピーク波長を重ねて示した図であり、図５（ｃ）は、赤外線検出器１１Ａに印加する電圧値Ｖを変化させながら外光（太陽光）の信号（検出信号）を検出した結果を示すグラフである。図５（ｃ）において、縦軸は検出信号、横軸は電圧（単位：Ｖ）である。図５（ａ）に示されるように、二酸化炭素は、２３５０（１／ｃｍ）＝４．２５μｍを強く吸収する。この二酸化炭素（ＣＯ２）の吸収ピーク波長を図４に示した検出スペクトルに重ねると、図５（ｂ）に示すように、二酸化炭素の吸収ピーク波長は、Ｖ〜０Ｖの場合の検出ピークとＶ＝１Ｖの場合の検出ピークとの間に存在する。したがって、赤外線検出器に印加する電圧値Ｖを変化させながら外光（太陽光）の信号（検出信号）を検出すると、図５（ｃ）のようになる。すなわち、赤外線検出器１１Ａからの検出信号（検出スペクトルの積分値）が二酸化炭素の吸収に一致するＶ＝０．０７Ｖにおいて減少する。これは、４．２５μｍの光は赤外線検出器に到達する前に二酸化炭素に吸収されるためである。この二酸化炭素の吸収ピーク波長に一致する電圧Ｖの値（図５（ｃ）に示す例では０．０７Ｖ）をＶＧとする。
【００３２】
図６は、図２（ａ）に示した赤外線検出器１１Ａの電極１６Ａ，１７Ａを電源１８Ａに電気的に接続し、かつ、赤外線検出器１１Ｂの電極１６Ｂ，１７Ｂを電源１８Ｂに電気的に接続した状態を模式的に示す図である。また図７（ａ）は、図６に示した赤外線検出器１１Ａ，１１Ｂにおいて電圧を印加しない状態（ＶＡ〜０Ｖ、ＶＢ〜０Ｖ）の各検出ピークを示す検出スペクトルに二酸化炭素（ＣＯ２）の吸収ピーク波長を重ねて示す図であり、図７（ｂ）は、赤外線検出器１１Ａ，１１Ｂに印加する電圧値ＶＡ，ＶＢを変化させながら外光（太陽光）の信号（検出信号）を検出した結果を示すグラフである。図２（ａ）に示したような１つの基板１２上に２つの赤外線検出器１１Ａ，１１Ｂが集積された赤外線検出器アレイにおいて、たとえば、図７（ａ）に示すように、製造誤差の影響により赤外線検出器１１Ａは４．１μｍ、赤外線検出器１１Ｂは４．３μｍに検出ピークを有するものとする。このとき、赤外線検出器１１Ａおよび赤外線検出器１１Ｂにそれぞれ印加する電圧値ＶＡおよび電圧値ＶＢを変化させながら外光（太陽光）を検出すると、それぞれ図７（ｂ）に示すような検出信号が得られる。すなわち、赤外線検出器１１Ａでは０．０７Ｖ（＝ＶＧＡ）で二酸化炭素の吸収による検出信号の減少がみられ、赤外線検出器１１Ｂでは−０．０３Ｖ（＝ＶＧＢ）で二酸化炭素の吸収による検出信号の減少がみられる。ここで、赤外線検出器１１Ａ，１１Ｂに印加する電圧値Ｖの基準をそれぞれＶＧＡ、ＶＧＢとし、赤外線検出器１１Ａ，１１Ｂに印加する電圧をＶＧＡ、ＶＧＢからの差分（ΔＶＡ、ΔＶＢ)とすれば、ΔＶＡ＝ΔＶＢのとき、赤外線検出器１１Ａ，１１Ｂの検出ピーク波長は略一致することになる。これはすなわち、ＶＧＡ、ＶＧＢが所定値（オフセット値）であり、この所定値（オフセット値）を印加しながら赤外線検出器１１Ａ，１１Ｂにかける電圧を掃引することが、ΔＶＡ、ΔＶＢを掃引することに対応する。
【００３３】
図８（ａ），（ｂ）は、太陽光を検出した際の赤外線検出器１１Ａ，１１Ｂの検出スペクトルである。図８（ａ）において、縦軸は赤外線検出器１１Ａの検出信号、横軸はＶＧＡからの差分の電圧値（ΔＶＡ）であり、図８（ｂ）において、縦軸は赤外線検出器１１Ｂの検出信号、横軸はＶＧＢからの差分の電圧値（ΔＶＢ）である。図８（ａ），（ｂ）から分かるとおり、ΔＶＡおよびΔＶＢを基準にすることにより、赤外線検出器１１Ａおよび赤外線検出器１１Ｂの製造誤差に起因する検出ピークの差を電圧の印加による検出ピークの位置のシフトにより簡便に補償することが可能になる。すなわち、本発明の赤外線検出器の校正方法では、気体に特有な吸収スペクトルの吸収ピーク波長を赤外線検出器に印加する電圧の基準電圧とすることで、個々の赤外線検出器における検出ピークのバラつきを補正することが好ましく、この際、基準電圧からの差分を電圧値として赤外線検出器に印加して検出ピークの位置をシフトさせることで、電圧印加の際の波長方向の検出ピークのバラつきを防ぐことができる。また、前記基準電圧の際の検出信号から、各赤外線検出器の感度バラつきを検出し、各赤外線検出器の感度バラつきを補償するように信号処理を行うようにすることが好ましい。このようにすることで、複数の検出器でそれぞれ別の波長を検出して比較する場合や、アレイ化してイメージングする場合などに、検出波長のバラつきによって、ユーザーへ提供する測定結果に誤差が出ることを防ぐことができる。
【００３４】
本発明の検出器として、集積化された２つの赤外線検出器１１Ａ，１１Ｂを例に挙げたが、３つ以上の赤外線検出器が集積されていてもよいし、集積化されていない複数の赤外線検出器の検出波長を揃える目的で本発明の赤外線検出器の校正方法を適用してもよい。また、上述の本発明の検出器を複数含み、それぞれの検出器の参照波長が同一である検出装置であってもよい。このような本発明の検出装置によれば、検出装置の製造バラつきの校正または補正を簡便かつ効率的に行うことができ、ユーザーへ提供する測定結果に誤差が出ることを防ぐことができる。
【００３５】
また、上述した例では、ＧａＡｓ、ＩｎＡｓ、ＡｌＧａＡｓ（ＡｌＧａＩｎＡｓ）を含むデバイス構造を備える赤外線検出器を例に挙げて説明したが、本発明の検出器は、その他の半導体、例えば、Ｓｉ、Ｇｅ、ＡｌＧａＩｎＰ、ＡｌＩｎＧａＮ等、他の材料系でもよく、また量子ドット構造についても上記材料との組み合わせで適宜選択可能である。
【００３６】
また、赤外線検出器の波長帯についても４．２５μｍ近傍の赤外線について述べたが、例えば、大気の窓である８〜１２μｍやテラヘルツ帯であってもよい。またサブバンド間吸収ではなく、バンド間吸収を用いることで、可視域、紫外域の波長帯の検出器となる。
【００３７】
さらに、校正に用いた波長として二酸化炭素の吸収ピークの１つである４．２５μｍを用いた場合を例に挙げて上述したが、本発明の検出器の校正または補正の基準として参照するための参照波長としては二酸化炭素の他の吸収ピークを用いてもよい。また、細かいピークの集合が波長１７００（１／ｃｍ）＝５．８８μｍおよび１５５０（１／ｃｍ）＝６．５５μｍ近傍に存在する水蒸気の吸収ピークを利用してもよい。その他、気体に特有な吸収スペクトルが既知の気体の吸収スペクトルであれば、窒素酸化物（ＮＯｘ）、硫黄酸化物（ＳＯｘ）、アンモニア（ＮＨ３）などを利用してもよいが、簡易な構成で本発明の赤外線検出器の校正方法を適用する観点からは、空気中に含まれる気体に関連する吸収ピークを利用するのが好ましい。
【００３８】
さらに、本発明において、参照波長は、検出波長のシフト可能な波長領域内にあれば、上述した気体に特有な吸収スペクトルの吸収ピーク波長には限定されない。なお、本発明においては、大気の窓の端、すなわち大気の窓から、大気の窓以外の波長範囲となる境界（立上りエッジまたは立下りエッジ）の波長も検出波長を校正または補正する基準として扱ってもよい。本発明における参照波長は、検出器の検出値が極大値、極小値、立上りエッジまたは立下りエッジとなるときの波長であることが好ましく、検出器の検出値が極小値となるときの参照波長の１つとして、上述した気体に特有な吸収スペクトルの吸収ピーク波長が例示される。またその他の検出器の検出値が極小値となるときの参照波長の例として、光学素子の吸収波長などが挙げられる。また、検出器の検出値が極大値となるときの参照波長の例としては、発光波長、燐光波長、蛍光波長などが挙げられる。発光素子と一体化された検出器であれば、発光素子の発光波長を用いて検出波長を校正または補正することもできる。このように参照波長が検出器の検出値が極大値、極小値、立上りエッジまたは立下りエッジとなるときの波長である場合、本発明の検出器は、検出器の検出値が極大値、極小値、立上りエッジまたは立下りエッジとなるときに活性層に印加されている電圧値を用いて検出波長を校正または補正するように構成されていることが好ましい。
【００３９】
また図９は、本発明の好ましい他の例の赤外線検出器３１を模式的に示す図である。図９に示す例の赤外線検出器３１は、半絶縁性ＧａＡｓ（ｉ−ＧａＡｓ）からなる基板３２と、ｎ−ＧａＡｓからなる下部コンタクト層３３と、ｎ−ＧａＡｓからなる上部コンタクト層３５と、ＡｕＧｅ／Ｎｉ／Ａｕからなる電極３６，３７と、ＧａＡｓ量子井戸およびＡｌｘＧａ１−ｘＡｓバリアからなる活性層３４を含む量子井戸赤外線検出器（ＱＷＩＰ）である。図９に示す例の赤外線検出器３１における活性層３４は、厚さ８ｎｍのＧａＡｓ量子井戸および厚さ１５ｎｍのＡｌｘＧａ１−ｘＡｓバリアを３０周期含むように構成されている。また、図９に示す例の赤外線検出器３１では、基板３２の端面が４５度に研磨されており、４５度に研磨された端面から赤外光Ｌ３が入射し得るように構成されている。上述のように、活性層に量子ドットを含む量子ドット赤外線検出器（ＱＤＩＰ）だけでなく、図９に示すような活性層に量子井戸を含む量子井戸赤外線検出器（ＱＷＩＰ）に対しても、本発明の赤外線検出器の校正方法を好適に適用することができる。
【００４０】
ここで、図１０は、本発明の赤外線検出器におけるブロック図の一例である。図１０には、外光（太陽光）にて校正を行う場合を示しており、赤外線検出器は、電流検出信号を流せるようにプリアンプ（トランスインピーダンスアンプ）に電気的に接続され、プリアンプは出力可能に構成されると共に、電圧検出信号を出力するようにドライバ回路に電気的に接続されている。また図１０に示す例では、ドライバ回路は、制御信号を流せるようにバイアス回路に電気的に接続され、さらに、バイアス回路はバイアス電圧（印加電圧）を印加可能なように赤外線検出器に電気的に接続されている。
【００４１】
また図１１は、本発明の赤外線検出器におけるブロック図の他の例である。図１１には、外光（太陽光）の代わりに、装置に備え付けられた赤外線発生器（ランプ）にて校正を行うように構成されている場合が示されている。図１１に示す例では、ドライバ回路に電気的に接続された赤外線発生器（ランプ）をさらに備え、赤外線発生器から赤外線検出器に光を送れるように構成されたこと以外は、図１０に示したブロック図と同様である。
【００４２】
なお、図１０、図１１には、赤外線検出器は１個のみを示しているが、複数個の赤外線検出器が集積された赤外線検出器アレイの場合には、ドライバ回路、プリアンプを共通利用することも可能である。
【００４３】
また、図１２は、実施形態１の赤外線検出器の制御の一例を示すフローチャートである。たとえば、以下の（１）〜（４）のステップを各素子ごとに行う。
【００４４】
（１）外光（太陽光）または赤外線発生器（ランプ）の光を受光した状態でバイアス電圧（印加電圧）を−１Ｖから＋１Ｖに掃引して出力の変化を測定（ここで、掃引範囲を−１Ｖから＋１Ｖとしているが、あくまで例であり、他の範囲でもよい）、
（２）出力の最小値をサーチ（一般的なピークサーチアルゴリズム）（ここで、最小値は、極小値でもよい）、または、検出信号の急激な変化をサーチ（一般的なエッジ検出アルゴリズム）、
（３）最小値、立上りエッジまたは立下りエッジの（絶対）印加電圧をＶＧとする、
（４）目的の波長（ＶＧからの差分電圧ΔＶとして与えられる）に対応する印加電圧を加えて出力を測定。
【００４５】
なお、上記（１）〜（３）のステップは、校正の際に毎回行ってもよいし、初期に一度だけ行ってもよい。
【００４６】
なお、上述のように、本発明の赤外線検出器の校正方法は、活性層に量子井戸または量子ドットを含む赤外線検出器に、オフセット値の電圧を印加するステップを含んでいることが好ましい。たとえば、製品出荷前に校正に適正なオフセット値の電圧を測定しておき、当該オフセット値の電圧を記憶させ、使用時に、記憶させたオフセット値の電圧を印加するように構成されていてもよい。また、上述した例のような構成であるとしても、使用のたびに検出ピーク波長を計測するのではなく、製品出荷前に校正に適正なオフセット値の電圧を計測しておき、使用時にオフセット値の電圧を印加するように構成されていてもよい。さらに、校正用のアタッチメントを取り付け可能に赤外線検出器が構成されていてもよい。すなわち、校正用のアタッチメントを取り付けることで検出ピーク波長を測定して校正に適正なオフセット値の電圧値を更新できるが、校正用のアタッチメントを取り付けない状態で通常は使用する、というように構成されていてもよい。
【００４７】
＜実施形態２＞
実施形態１では、Ｖ〜０Ｖ近傍で検出ピークが４．２μｍの場合を示していたため、ＣＯ２の吸収ピーク波長が出る電圧ＶＧをオフセット値の電圧（ＶＯＦＦ）として扱うことができた（すなわち、ＶＯＦＦ＝ＶＧ）。一方で、検出感度はある程度の電圧を印加する方が高くなるため、Ｖ〜０Ｖ近傍では、気体に特有な吸収スペクトルによる検出値の極小値が判別しづらくなる場合がある。本実施形態では、大気の吸収ピーク波長がＶ〜０Ｖから離れた電圧値である場合について説明する。０Ｖから離れたとは、０Ｖに対し、装置の印加電圧分解能以上の差があればよい。
【００４８】
この場合、参照する気体の吸収ピーク波長を検出するための印加電圧Ｖ０の設計値を記憶しておけばよい。そして、所定値（オフセット値）の電圧をＶＯＦＦ＝ＶＧ−Ｖ０とし、実施形態１と同様の方法で校正すればよい。
【００４９】
このように、本発明の検出器は、活性層に印加する電圧値がＶ〜Ｖ０である場合に検出器の検出値が極大値または極小値となる波長を参照波長とし、当該参照波長となるときに活性層に印加されている電圧値ＶＧとＶ０との差をオフセット電圧とするように構成されていてもよい。
【００５０】
＜実施形態３＞
本実施形態では、単一の検出波長だけでなく、複数の検出波長を参照することを説明する。以下、λ１、λ２の２つの波長を参照する場合を例に挙げて説明する。
【００５１】
λ１とλ２に対応する印加電圧の設計値が分かっていれば、λ１を参照することで判明したＶ１ＯＦＦと、λ２を参照することで判明したＶ２ＯＦＦが算出されるが、全波長に対してＶ１ＯＦＦとＶ２ＯＦＦの平均値をＶＯＦＦとして適用してもよいし、λ１とＶ１ＯＦＦ、λ２とＶ２ＯＦＦから波長とオフセット電圧の関係を線形近似するようにしてもよい。
【００５２】
このように、本発明の検出器は、複数の参照波長を用いて検出波長を校正または補正するように構成されていてもよい。またこの場合、活性層に印加する電圧値がＶ〜０Ｖ以外である場合に検出される波長を参照波長の１つとするように構成されていてもよい。
【００５３】
また、本実施形態では、上述した実施形態２のように印加電圧の設計値を記憶しておかなくても、検出波長を校正することができる。すなわち、図１２に示したフローチャートにおいてステップ（２）でサーチした極小値のうち、印加電圧値が小さいものを短い波長の参照波長、印加電圧値が大きいものを長い波長の参照波長とし、λ１とＶ１Ｇ、λ２とＶ２Ｇから波長と印加電圧の関係を線形近似すればよい。
【００５４】
なお、λ１、λ２は、大気の窓の端で透過率が急激に変化する立上りエッジまたは立下りエッジとなる波長を用いてもよい。
【００５５】
＜実施形態４＞
本実施形態では、当該所定値（オフセット値）で赤外線検出器を校正するのではなく、赤外線検出器で検出した結果を当該オフセット値で補正する。上述の実施形態では、参照波長を基準として参照した電圧を印加しながら検出波長を測定する「校正」を行う場合を主な例に挙げて説明してきたが、測定結果の電圧値に、参照波長を基準として参照した電圧を差し引きする「補正」を行うようにしてもよい。本発明は、検出器の校正方法だけでなく、検出器の補正方法についても包含するものとする。
【００５６】
ここで、図１３は、実施形態４の赤外線検出器の制御の例を示すフローチャートである。たとえば、以下の（１）〜（４）のステップを各素子ごとに行う。
【００５７】
（１）外光（太陽光）または赤外線発生器（ランプ）の光を受光した状態で印加電圧を−１Ｖから＋１Ｖに掃引して出力の変化を測定、
（２）出力の最小値をサーチ（一般的なピークサーチアルゴリズム）（ここで、最小値は、極小値でもよい）、または、検出信号の急激な変化をサーチ（一般的なエッジ検出アルゴリズム）、
（３）最小値、立上りエッジまたは立下りエッジの（絶対）印加電圧をＶＧとする、
（４）測定結果の印加電圧とＶＧとの差分電圧ΔＶを算出し、波長に換算する。
【００５８】
図１３に示したフローチャートにおいて、図１２に示したフローチャートと異なるのはステップ（４）であり、ＶＧをオフセット値として与えた状態で印加電圧を加えて測定するのではなく、（１）の測定結果の印加電圧の値をＶＧで補正している。
【００５９】
特に赤外線検出器がアレイ化されている場合、個々の素子にオフセット値を設定するよりも、測定後にデータを補正した方が簡便であるというメリットがある。
【００６０】
本実施形態で説明した補正方法は、実施形態１のＶＧが印加電圧範囲の中央値である構成、実施形態２のＶＧが０Ｖから離れた電圧値である構成、実施形態３の２つの参照波長を参照する構成にも利用することができる。
【００６１】
＜実施形態５＞
本実施形態では、印加電圧ＶＧやＶＯＦＦを決定せずに、測定結果を補正する。ここで、図１４は、実施形態５の赤外線検出器の制御の例を示すフローチャートである。たとえば、以下の（１）〜（３）のステップを各素子ごとに行う。
【００６２】
（１）印加電圧を−１Ｖから＋１Ｖに掃引して測定、
（２）出力の最小値をサーチ（一般的なピークサーチアルゴリズム）（ここで、最小値は、極小値でもよい）、または、検出信号の急激な変化をサーチ（一般的なエッジ検出アルゴリズム）、
（３）最小値、立上りエッジまたは立下りエッジが出ている波長を気体に特有な吸収スペクトルの吸収ピーク波長、または立上りエッジ、立下りエッジの波長と一致するよう、印加電圧を波長に変換する。これは、印加電圧を波長に変換する際、オフセット波長を加えることになる。
【００６３】
すなわち、図１４に示したフローチャートでは、印加電圧ＶＧやＶＯＦＦを決定するステップを設けず、そのまま波長に換算している。このようにすることで、ステップ数が少なく、ＶＧやＶ０、ＶＯＦＦを保持（記憶）する必要がなく簡便であるというメリットがある。
【００６４】
本実施形態で説明した補正方法は、実施形態１の参照波長が印加電圧範囲の中央値に対応する構成、実施形態２の参照波長が印加電圧が０Ｖから離れた電圧値に対応する構成、実施形態３の２つの参照波長を参照する構成にも利用することができる。
【符号の説明】
【００６５】
１Ａ  赤外線検出器Ａによる検出ピーク、１Ｂ  赤外線検出器Ｂによる検出ピーク、２Ａ  赤外線検出器Ａの電圧印加によりシフト可能な波長領域、２Ｂ  赤外線検出器Ｂの電圧の印加によりシフト可能な波長領域、３  気体に特有な吸収スペクトルの吸収ピーク波長、１１Ａ，１１Ｂ  赤外線検出器、１２  基板、１３Ａ，１３Ｂ  下部コンタクト層、１４Ａ，１４Ｂ  ＩｎＡｓ量子ドット／ＡｌＧａＡｓ／ＧａＡｓマトリックス、１５Ａ，１５Ｂ  上部コンタクト層、１６Ａ，１６Ｂ，１７Ａ，１７Ｂ  電極、２１  量子ドット、２２  ＡｌＧａＡｓ層、２３  ＧａＡｓ層、１８Ａ，１８Ｂ  電源、３１  赤外線検出器、３２  基板、３３  下部コンタクト層、３４  ＩｎＡｓ量子ドット／ＡｓＧａＡｓ／ＧａＡｓマトリクス、３５  上部コンタクト層、３６，３７  電極。
【図１】
2018100959.tif 000003
【図２】
2018100959.tif 000004
【図３】
2018100959.tif 000005
【図４】
2018100959.tif 000006
【図５】
2018100959.tif 000007
【図６】
2018100959.tif 000008
【図７】
2018100959.tif 000009
【図８】
2018100959.tif 000010
【図９】
2018100959.tif 000011
【図１０】
2018100959.tif 000012
【図１１】
2018100959.tif 000013
【図１２】
2018100959.tif 000014
【図１３】
2018100959.tif 000015
【図１４】
2018100959.tif 000016